(57)【要約】【課題】インジケータを有する使い捨て紙おむつにおいて、インジケータのお知らせ機能を維持しつつ、インジケータの視認性を向上させるとともに、インジケータの外観デザインを向上させる。【解決手段】防漏シート１２よりも内面側に、水分又は体液との接触により視覚的変化を示すインジケータ１５が塗布されるとともに、少なくとも前記インジケータ１５の一部又は全部と重なる範囲であって、かつ前記防漏シート１２の外面側又は内面側に、前記インジケータ１５の視認性を向上させるために透明化剤１８が塗布されている。前記透明化剤１８は、液体又は固体のオイル、パラフィン、グリセリン及び可塑剤含有ホットメルト接着剤からなる群の内のいずれか又は任意の組合せで配合したものを用いる。【選択図】図５
2008054991.tif 000002
【特許請求の範囲】
【請求項１】
透液性の表面シートと不透液性の防漏シートとの間に吸収体が介在され、前記防漏シートの外面側に外装シートが一体的に設けられた使い捨て紙おむつにおいて、
前記防漏シートよりも内面側に、水分又は体液との接触により視覚的変化を示すインジケータが設けられるとともに、少なくとも前記インジケータの一部又は全部と重なる範囲であって、かつ前記防漏シートの外面側又は内面側に、前記インジケータの視認性を向上させるために透明化剤が塗布されていることを特徴とする使い捨て紙おむつ。
【請求項２】
前記不透液性の防漏シートは、透湿性を有する微多孔性シートであり、前記透明化剤は、液体又は固体のオイル、パラフィン、グリセリン及び可塑剤含有ホットメルト接着剤からなる群の内のいずれか又は任意の組合せで配合したものを用いる請求項１記載の使い捨て紙おむつ。
【請求項３】
前記不透液性の防漏シートは、透湿性を有する微多孔性シートであり、前記透明化剤は、トリ（カプリル・カプリン酸）グリセリン、エステル及び１２５°Ｆ固形パラフィンを配合して構成される請求項１記載の使い捨て紙おむつ。
【請求項４】
前記防漏シートの内面側に前記インジケータが塗布され、前記防漏シートの外面側に透明化剤が塗布されている請求項１〜３いずれかに記載の使い捨て紙おむつ。
【請求項５】
前記吸収体がクレープ紙及び／又は不織布によって囲繞されるとともに、前記クレープ紙又は不織布に前記インジケータが塗布され、前記防漏シートの外面側又は内面側に透明化剤が塗布されている請求項１〜３いずれかに記載の使い捨て紙おむつ。
【請求項６】
前記防漏シートの内面側に前記透明化剤が塗布されるとともに、その透明化剤に重ねてその上面に前記インジケータが設けられている請求項１〜３いずれかに記載の使い捨て紙おむつ。
【請求項７】
前記インジケータが、インジケータ反応手段を含み、前記防漏シートと前記吸収体との間に配置されるシート状部材である請求項１〜３いずれかに記載の使い捨て紙おむつ。
【請求項８】
前記吸収体の臀部当接部に排泄物を収納保持する便ポケットが設けられ、前記便ポケットに対応する領域の少なくとも一部を含む領域に前記透明化剤が塗布されている請求項１〜７いずれかに記載の使い捨て紙おむつ。
【発明の詳細な説明】
【技術分野】
【０００１】
本発明は、排尿や排便などの排泄があったことを外部から認識可能にするインジケータ、いわゆるお知らせ機能を有する使い捨て紙おむつに係り、前記お知らせ機能の視認性を向上させた使い捨て紙おむつに関する。
【背景技術】
【０００２】
従来より、排尿や排便などの排泄があったときに、紙おむつを着用した状態のままでも外部から目視によって認識可能にし、一々紙おむつを外して確認する手間を不要とした使い捨て紙おむつが知られている。
【０００３】
例えば、下記特許文献１では、裏面シートに、少なくともその長さ方向の略中央部に該長さ方向の約３分の１に亘って、透明部が形成された透視部が設けられ、この透明部は、裏面シートの材料シートである微多孔質シートに、溶融粘度が低く且つ前記微多孔質シートの一原料である熱可塑性樹脂との相溶性に優れたワックス、ワニス又はホットメルト剤が塗布されることにより形成されている使い捨ておむつが開示されている。
【０００４】
また、下記特許文献２では、液透過性の表面材と、防漏性の裏面材と、これら両面材の間に配置される吸収体とからなる吸収性物品において、前記裏面材が、多孔性シート前駆体の表面に部分的に有機化合物が塗布されて含浸されてなる、部分的に透明化された多孔性シートを用いて形成されている吸収性物品が開示されている。
【特許文献１】特許第３６８８４０３号公報
【特許文献２】特開平１０−２９８３２１号公報
【発明の開示】
【発明が解決しようとする課題】
【０００５】
しかしながら、上記特許文献１、２はいずれも、裏面シートの一部を透明に形成することによって、排尿又は排便などの排泄物を外部から直接視認できるようにしたものであるため、排尿の場合には変色の度合いが少なく視認が困難であり、排便の場合には吸収体が介在しているため見えにくいという問題があった。
【０００６】
一方、近年では、排尿や排便などの排泄があったことを変色や発色、図柄の変化といった視覚的変化によって外部から認識可能にするインジケータ、いわゆるお知らせ機能を有する使い捨て紙おむつが広く市販されている。しかしながら、このインジケータ近傍に薬剤などを塗布すると、インジケータの機能を妨げたり、該インジケータがインクからなる場合にインクが滲んだり、インジケータがホットメルト接着剤からなる場合に接着性能を低下させたりする問題が生じるおそれがあった。
【０００７】
そこで本発明の主たる課題は、インジケータを有する使い捨て紙おむつにおいて、インジケータのお知らせ機能を維持しつつ、インジケータの視認性を向上させるとともに、外観デザインを向上させた使い捨て紙おむつを提供することにある。
【課題を解決するための手段】
【０００８】
前記課題を解決するために請求項１に係る本発明として、透液性の表面シートと不透液性の防漏シートとの間に吸収体が介在され、前記防漏シートの外面側に外装シートが一体的に設けられた使い捨て紙おむつにおいて、
前記防漏シートよりも内面側に、水分又は体液との接触により視覚的変化を示すインジケータが設けられるとともに、少なくとも前記インジケータの一部又は全部と重なる範囲であって、かつ前記防漏シートの外面側又は内面側に、前記インジケータの視認性を向上させるために透明化剤が塗布されていることを特徴とする使い捨て紙おむつが提供される。
【０００９】
上記請求項１記載の本発明は、防漏シートよりも内面側にインジケータが設けられるとともに、少なくとも前記インジケータの一部又は全部と重なる範囲であって、かつ防漏シートの外面側又は内面側に透明化剤が塗布されることにより、インジケータの視認性が向上するとともに、インジケータが図柄の一部または全部を構成する場合には、外観デザインが向上する。
【００１０】
請求項２に係る本発明として、前記不透液性の防漏シートは、透湿性を有する微多孔性シートであり、前記透明化剤は、液体又は固体のオイル、パラフィン、グリセリン及び可塑剤含有ホットメルト接着剤からなる群の内のいずれか又は任意の組合せで配合したものを用いる請求項１記載の使い捨て紙おむつが提供される。
【００１１】
請求項３に係る本発明として、前記不透液性の防漏シートは、透湿性を有する微多孔性シートであり、前記透明化剤は、トリ（カプリル・カプリン酸）グリセリン、エステル及び１２５°Ｆ固形パラフィンを配合して構成される請求項１記載の使い捨て紙おむつが提供される。
【００１２】
上記請求項２、３記載の本発明は、前記透明化剤の具体的な構成であり、このように構成することにより、インジケータのお知らせ機能を維持しつつインジケータの外部からの視認性が向上するようになる。特に、近年は前記防漏シートに通気性を与えるために、無機充填材を溶融混練して延伸加工を施したものが使用される傾向にあり、防漏シートの不透明度が高くなり、インジケータの反応が外部から視認しづらくなっているため、防漏シートの外面側又は内面側に透明化剤を塗布することにより、インジケータの視認性を向上させるようにする。
【００１３】
請求項４に係る本発明として、前記防漏シートの内面側に前記インジケータが塗布され、前記防漏シートの外面側に透明化剤が塗布されている請求項１〜３いずれかに記載の使い捨て紙おむつが提供される。
【００１４】
請求項５に係る本発明として、前記吸収体がクレープ紙及び／又は不織布によって囲繞されるとともに、前記クレープ紙又は不織布に前記インジケータが塗布され、前記防漏シートの外面側又は内面側に透明化剤が塗布されている請求項１〜３いずれかに記載の使い捨て紙おむつが提供される。
【００１５】
請求項６に係る本発明として、前記防漏シートの内面側に前記透明化剤が塗布されるとともに、その透明化剤に重ねてその上面に前記インジケータが設けられている請求項１〜３いずれかに記載の使い捨て紙おむつが提供される。
【００１６】
上記請求項４〜６記載の本発明は、前記インジケータ及び透明化剤の配設形態を示した実施態様であり、各態様により、インジケータの視認性が向上できるとともに、インジケータが図柄の一部または全部を構成する場合には、外観デザインが向上できるようになる。これらの内、インジケータと透明化剤とは接触させないように、シートを隔てた関係になるようにした態様が望ましい。
【００１７】
請求項７に係る発明として、前記インジケータが、インジケータ反応手段を含み、前記防漏シートと前記吸収体との間に配置されるシート状部材である請求項１〜３いずれかに記載の使い捨て紙おむつが提供される。
【００１８】
上記請求項７記載の発明は、前記インジケータとして液体を使用し塗布によって設けるようにする以外に、水分又は体液との接触により視覚的変化を示す薬剤（インジケータ反応手段）が含有されたシート状部材を用い、これを前記防漏シートと前記吸収体との間に配置するようにしてもよい。この場合、前記透明化剤に重ねて配置することが可能である。
【００１９】
請求項８に係る本発明として、前記吸収体の臀部当接部に排泄物を収納保持する便ポケットが設けられ、前記便ポケットに対応する領域の少なくとも一部を含む領域に前記透明化剤が塗布されている請求項１〜７いずれかに記載の使い捨て紙おむつが提供される。
【００２０】
上記請求項８記載の本発明は、便ポケットに対応する領域の少なくとも一部を含む領域に透明化剤を塗布することにより、インジケータのみならず、便ポケットに収納保持された排泄物も外部からの視認性が向上できるようになる。
【発明の効果】
【００２１】
以上詳説のとおり本発明によれば、インジケータを有する使い捨て紙おむつにおいて、インジケータのお知らせ機能を維持しつつ、インジケータの視認性を向上させるとともに、外観デザインを向上させるようになる。
【発明を実施するための最良の形態】
【００２２】
以下、本発明の実施の形態について図面を参照しながら詳述する。
図１は本発明に係る使い捨て紙おむつ１の製品状態外観図であり、図２はその展開図である。
【００２３】
図１及び図２に示されるように、使い捨て紙おむつ１（以下、単に紙おむつという。）は、不織布などからなる透液性表面シート１１と、ポリエチレンなどからなる防漏シート１２との間に、綿状パルプなどの吸収体１３を介在させた吸収性本体１０と、この吸収体１３を囲繞するクレープ紙１４と、前記防漏シート１２の外面側に一体的に設けられた外装シート２０とからなり、製品状態で前記外装シート２０の前身頃Ｆと後身頃Ｂとが両側部において接合されることによりウエスト開口部及び左右一対のレッグ開口部が形成された構造のパンツ型紙おむつである。
【００２４】
さらに、前記防漏シート１２の内面側には、後述するように、着色インク又は着色剤を含有するホットメルト接着剤からなるインジケータ１５が配置されている。このインジケータ１５は、排尿や排便などの排泄、特に液体状の排泄があったときに、この排泄物などと接触して変色することにより、排泄があったことを外部から認識可能とするものである。
【００２５】
（吸収性本体１０の構造）
先ず最初に、吸収性本体１０の構造の一例について図２及び図３に基づいて詳述する。
【００２６】
吸収性本体１０は、前述したように、不織布などからなる透液性表面シート１１と、ポリエチレン等からなる防漏シート１２との間に、綿状パルプなどの吸収体１３を介在させた構造とされ、体液を吸収保持するものである。
【００２７】
前記吸収体１３は、図示例では平面形状を略方形状として成形されたものが使用され、その幅寸法は股間部への当たりによって着用者にゴワ付き感を与えない寸法幅となっている。この吸収体１３は、クレープ紙１４によって囲繞されている。なお、前記吸収体１３としては、嵩を小さくできるエアレイド吸収体を用いるのが望ましい。
【００２８】
前記吸収体１３の表面側（肌当接面側）を覆う透液性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法、エアスルー法は嵩高でソフトである点で優れている。透液性表面シート１１に多数の透孔を形成した場合には、尿などが速やかに吸収されるようになり、ドライタッチ性に優れたものとなる。前記透液性表面シート１１は、吸収体１３の側縁部を巻き込んで吸収体１３の裏面側まで延在している。
【００２９】
前記吸収体１３の裏面側（非肌当接面側）を覆う防漏シート１２は、ポリエチレンまたはポリプロピレンなどの不透液性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。具体的には、JIS Z0208に準じて測定された透湿度が３０００〜１２０００g/m2・24hr、好ましくは６０００〜１２０００g/m2・24hr、より好ましくは８０００〜１２０００g/m2・24hrの不透液性シートを使用するのが望ましい。
【００３０】
一方、立体ギャザーＢＳを形成するギャザー不織布１６は、折返しによって二重シートとした不織布が用いられ、前記透液性表面シート１１によって巻き込まれた吸収体１３の側縁部をさらにその上側から巻き込んで吸収体１３の裏面側まで延在して接着されている。より具体的には、前記ギャザー不織布１６は、紙おむつの長手方向中間部では、立体ギャザーＢＳ形成部分を残し、幅方向中間部から吸収体１３の裏面側に亘る範囲がホットメルト接着剤等によって接着され、また長手方向前後端部では、前記幅方向中間部から一方側端縁までの区間が吸収体１３の裏面側に亘る範囲で接着されるとともに、前記立体ギャザーＢＳを形成する部分を吸収体１３の上面部にて折り畳むようにしながらホットメルト接着剤等により接着している。
【００３１】
前記二重シート不織布によって形成されたギャザー不織布１６の内部には、起立先端側部分に複数本の糸状弾性伸縮部材１７、１７…が配設されている。前記糸状弾性伸縮部材１７、１７…は、製品状態において弾性伸縮力により吸収体側縁部より突出する不織布部分を起立させて立体ギャザーＢＳを形成するためのものである。
【００３２】
前記糸状弾性伸縮部材１７としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５dtex以下、テンションは150〜350％として配設するのがよい。なお、糸状弾性伸縮部材に代えて、ある程度の幅を有するテープ状弾性伸縮部材を用いるようにしてもよい。
【００３３】
前述のギャザー不織布１６を構成する素材繊維も前記透液性表面シート１１と同様に、ポリエチレンまたはポリプロピレン等のオレフィン系、ポリエステル系、ポリアミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらに前記ギャザー不織布１６については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００３４】
前記吸収性本体１０と外装シート２０とは、図３に示されるように、外装シート２０の上面側に吸収性本体１０がホットメルト等の接着剤によって接着され一体化される。そして、吸収性本体１０および外装シート２０が前後方向に折り重ねられ、その両側部が相互に熱溶着またはホットメルト接着剤などによって接合されることにより、図１に示されるパンツ型紙おむつ１に組み立てられる。
【００３５】
（外装シート２０の構造）
次に外装シート２０の構造について、図３及び図４に基づいて詳述する。外装シート２０は、上層不織布２０Ａ及び下層不織布２０Ｂが、ホットメルト接着剤などにより接着された２層構造の不織布シートとされ、前記上層不織布２０Ａと下層不織布２０Ｂとの間に各種弾性伸縮部材がホットメルト接着剤などにより接着され、伸縮性が付与されている。平面形状は、中間両側部に夫々脚部開口を形成するための凹状の脚回りカットライン２９により、全体として擬似砂時計形状を成している。
【００３６】
本発明に係る外装シート２０においては、前記弾性伸縮部材として、図４の展開形状に示されるように、ウエスト開口部回り２３に配置されたウエスト部弾性伸縮部材２４，２４…と、前身頃Ｆ及び後身頃Ｂに、上下方向に間隔をおいて水平方向に沿って配置され、腰回りにシャーリングを形成するための複数の腰回り弾性伸縮部材群２５，２５…とを有する。
【００３７】
前記ウエスト部弾性伸縮部材２４，２４…は、前身頃Ｆと後身頃Ｂとが接合された脇部接合縁２１の範囲の内、ウエスト開口縁近傍に上下方向に間隔をおいて配設された複数本の糸ゴム状弾性伸縮部材であり、身体のウエスト部回りを締め付けるように伸縮力を与えることにより紙おむつを身体に装着するためのものである。このウエスト部弾性伸縮部材２４は、図示例では糸ゴムを用いたが、例えばテープ状の伸縮部材を用いてもよい。
【００３８】
前記腰回り弾性伸縮部材群２５，２５…は、脇部接合縁２１のウエスト開口縁２３を除く上部位置から下部位置まで、あるいは図示されるように、脇部接合縁２１よりも股下側に及ぶ範囲に亘り、上下方向に間隔をおいて水平方向に沿って配設された糸ゴム状弾性伸縮部材であり、前身頃Ｆ及び後身頃Ｂの腰回り部分に夫々、水平方向の伸縮力を与え腰回りシャーリングゾーンＫ１、Ｋ２を形成するためのものである。なお、前記ウエスト部弾性伸縮部材２４、２４…と腰回り弾性伸縮部材群２５、２５…との境界は必ずしも明確でなくてよい。例えば、前身頃Ｆ及び後身頃Ｂに上下方向に間隔をおいて水平方向に配置された弾性伸縮部材の内、数は特定できなくても、上部側の何本かがウエスト部弾性伸縮部材２４として機能し、残りの弾性伸縮部材が腰回り弾性伸縮部材２５として機能していればよい。前記吸収体１３の縮こまりを防止するため、前記腰回り弾性部材２５…は、吸収性本体が接合される中央付近において連続しておらず、前記吸収性本体１０を横切る弾性伸縮部材２５…を切断して不連続とし、前記腰回り弾性部材２５…による伸縮性が付与されていない構造としてもよい。
【００３９】
（インジケータ１５の構造）
次にインジケータ１５の構造について詳述する。本発明では、インジケータ１５は、体液などの水分との接触により呈色反応を示すような着色剤及び／又は水分中のｐＨを検知して呈色反応を示すような着色剤、或いは体液との反応により着色が消失する反応、着色剤が尿により溶解して滲んだり消失したりする反応、その他の視覚的変化を示す薬剤が含有されたインク又は接着剤、或いは水分又は体液との接触により視覚的変化を示す薬剤（インジケータ反応手段）を含有するシート状部材により構成されている。例えば、前記体液などの水分との接触により呈色反応を示すような着色剤として、水溶性、水分解性染料又はロイコ染料と該ロイコ染料を発色させるフェノール性化合物、酸性物質、電子受容性物質等の顕色剤とからなる着色剤を使用することが可能である。
【００４０】
上述のインク又は接着剤により構成されたインジケータ１５は、図２及び図３に示されるように、所定の塗布領域に塗布される。なお、図２及び図３に示されるインジケータ１５は、前述のインク又は接着剤の塗布領域を示したものである。この領域は、吸収体１３に吸収された排泄物との接触が効率よく行われる領域である。インジケータ１５は防漏シート１２よりも内面側位置に、面状、帯状または多数の筋状に塗布されることによって形成されている。具体的には、防漏シート１２の内面側、または前記吸収体１３を囲繞するクレープ紙１４、或いは前記吸収体１３がクレープ紙１４に代えて不織布からなるコアラップシート（図示せず）によって囲繞されたり、前記クレープ紙１４と共に不織布からなるコアラップシートによって囲繞される場合には、前記クレープ紙又はコアラップシートに対してインジケータ１５が塗布されることによって形成される。
【００４１】
前記インジケータ１５の成分は、インジケータ１５がインクから構成される場合、インクに着色剤が添加されたものであり、インジケータ１５が接着剤から構成される場合、水溶性ポリマーに樹脂などからなる非水溶性成分および着色剤が添加されたものである。接着剤から構成される場合の具体例は、ポリエチレングリコール分子量１００〜５００と、ポリビニルピロリドン、酢酸ビニルコポリマーと、水溶性ポリエステルとからなる水溶性ポリマーに、高極性粘着付与樹脂および可塑剤の非水溶性成分と、接触する液体の酸性・アルカリ性の程度（ｐＨ）を変色によって指示する着色剤とで構成されている。
【００４２】
インジケータ１５を接着剤により構成した場合、前記接着剤には、公知の各種接着剤を使用することが可能である。その一例として、ホットメルト接着剤を使用した場合について詳述すると、前記インジケータ１５として着色剤を含有したホットメルト接着剤を使用することにより、着色剤の拡散や浸出などが防止できるとともに、シート状のインジケータを設ける場合に比べると、インラインで簡単に実施できるためインジケータの付設作業工程が大幅に省力化できるようになる。この際、前記インジケータホットメルト接着剤の塗布量は、２０〜４０g/m2であることが好ましい。２０g/m2より少量であるとインジケータとしての機能が損なわれ、４０g/m2より多いと接着剤の硬化によるゴワ付き感が生じる。
【００４３】
一方、シート状部材からなるインジケータ１５を使用する場合には、このシート状部材を前記防漏シート１２と前記吸収体１３との間に配置するようにする。なお、このシート状のインジケータ部材を使用した場合には、液体性のインジケータを塗布して設ける場合と比べて、部材点数は増えるが、必要部位に必要量だけ使用することが容易に行えるようになり、インジケータ反応手段を含むシート状部材の使用面積の低減を図ることにより低コスト化できるようになる。
【００４４】
（防漏シート１２の透明化手段）
本発明では、防漏シート１２よりも内面側に、水分又は体液との接触により視覚的反応を示すインジケータ１５が設けられるとともに、少なくとも前記インジケータ１５の一部又は全部と重なる範囲であって、かつ前記防漏シート１２の外面側又は内面側に、前記インジケータ１５の視認性を向上させるために透明化剤が塗布されている。この透明化剤１８を塗布することにより、防漏シート１２の光透過性が向上し、防漏シート１２よりも内面側に塗布されたインジケータ１５が外部から容易に視認できるようになるとともに、インジケータが図柄の一部または全部を構成する場合には、インジケータ１５の外観デザインが向上できるようになる。
【００４５】
前記透明化剤１８は、液体又は固体のオイル、パラフィン、グリセリン及び可塑剤含有ホットメルト接着剤からなる群の内のいずれか又は任意の組合せで配合したものが用いられている。特に、インジケータ１５の機能や外観の低下、具体的には、インジケータ１５の変色機能の妨害、インジケータ１５がインクからなる場合にインクが滲むことによる外観の悪化、またインジケータ１５がホットメルト剤からなる場合に接着性能の低下を防止するため、前記透明化剤１８は、トリ（カプリル・カプリン酸）グリセリン、エステル、及び１２５°Ｆ固形パラフィンを所定の割合で配合した構成とすることが望ましい。これらの配合割合は、例えば、トリ（カプリル・カプリン酸）グリセリンを６０％、エステルを１０％、１２５°Ｆ固形パラフィンを３０％とすることができる。なお、これらの成分配合比率を調整することにより、透明化剤１８の融点や粘度を変化させることができる。
【００４６】
また、前記透明化剤１８が前記可塑剤含有ホットメルト接着剤から構成される場合、透明化剤１８が接着剤としての機能を有し、透明化剤１８が塗工された上下面のシート、例えば防漏シート１２と外装シート２０、又はクレープ紙１４と防漏シート１２との構造用接着剤として兼用することができるようになる。
【００４７】
前記透明化剤１８の塗布量は、１g/m2〜３０g/m2とすることが好ましく、１５g/m2前後が最も好ましい。塗布量が１g/m2未満では透明化がされにくく、また３０g/m2を超えて塗布してもよりクリアーな透明化が望めず、逆に防漏シート１２及び外装シート２０の透湿度が低下したり、余剰の透明化剤１８が滴下したり、吸収体１３や使用面側に裏抜けしてべたついたりする原因となるため好ましくない。
【００４８】
また、透明化剤１８を塗布する総面積は、防漏シート１２の面積に対して５０％以下とする。５０％を超えると、透湿度が低下してムレの原因となるためである。
【００４９】
なお、透明化剤１８が塗布される防漏シート１２は、透明化剤１８の裏抜けを防止するため、厚みを0.01mm以上とすることが望ましい。
【００５０】
次に、前記インジケータ１５及び透明化剤１８の紙おむつ１の断面に対する配設形態について、図５〜図８に基づいて詳説する。
第１形態例は、図５に示されるように、防漏シート１２の内面側にインジケータ１５が塗布されるとともに、少なくとも前記インジケータ１５の一部又は全部と重なる範囲であって、かつ防漏シート１２の外面側に透明化剤１８が塗布されるものである。本形態例では防漏シート１２の内面側に直接インジケータ１５が塗布されるとともに、その対向面側に透明化剤１８が塗布されるため、透明化された防漏シート１２に対して、外部から直接的にインジケータ１５の視認性が向上できるようになる。
【００５１】
第２形態例は、図６に示されるように、吸収体１３がクレープ紙１４によって囲繞されるとともに、前記クレープ紙１４の外面側にインジケータ１５が塗布され、防漏シート１２の外面側に透明化剤１８が塗布されるものである。本形態例では、クレープ紙１４の外面側に直接インジケータ１５が塗布されているため、排泄物との接触による視覚的変化がより効果的に発揮できる。さらに、クレープ紙１４の外面側にインジケータ１５が、防漏シート１２の外面側に透明化剤１８が、それぞれ塗布されているため、インラインでの製造が容易化できる。なお、前記クレープ紙１４に代えて、又は前記クレープ紙１４と共に、不織布からなるコアラップシートによって吸収体１３が囲繞される場合は、コアラップシートにインジケータ１５が塗布されるようにしても良い。また、透明化剤１８は、防漏シート１２の内面側に塗布されるようにしても良い。
【００５２】
第３形態例は、図７に示されるように、吸収体１３がクレープ紙１４によって囲繞されるとともに、前記クレープ紙１４の内面側にインジケータ１５が塗布され、防漏シート１２の外面側に透明化剤１８が塗布されるものである。本形態例では、インジケータ１５がクレープ紙１４の内面側に塗布されているため、排泄物との接触による視覚的変化がより効果的に発揮できる。なお、前記形態例２と同様に、前記クレープ紙１４に代えて、又は前記クレープ紙１４と共に、不織布からなるコアラップシートによって吸収体１３が囲繞される場合は、コアラップシートにインジケータ１５が塗布されるようにしても良い。また、透明化剤１８は、防漏シート１２の内面側に塗布されるようにしても良い。
【００５３】
第４形態例は、図８に示されるように、防漏シート１２の内面側に透明化剤１８が塗布されるとともに、その透明化剤１８に重ねてその上面にインジケータ１５が設けられたものである。なお、本形態例では、前記インジケータ１５は、インク以外のもの、すなわち接着剤系のもの又はインジケータ機能を有するシート状部材を使用する。
【００５４】
一方、前記インジケータ１５及び透明化剤１８の平面視配設形態例について詳説する。平面視の配設形態例は、図９に示されるように、透明化剤１８を、インジケータ１５の塗布領域長手方向に沿う塗布形態（同図(A)）、インジケータ１５の塗布領域に直交した塗布形態（同図(B)）のいずれでもよく、また透明化剤１８を、１本塗布する形態（同図(A)）、複数本塗布する形態（同図(B)）のいずれでもよく、任意である。さらに、同図(C)に示されるように、吸収体１３の臀部当接部に排泄物を収納保持する便ポケット１９が設けられ、この便ポケット１９に対応する領域の少なくとも一部を含む領域に透明化剤１８が塗布されるようにすることができる。これにより、便ポケット１９に排泄物を収納保持した場合に、この排泄物が外部から目視可能とすることができる。
【００５５】
〔他の形態例〕
(1)上記形態例では、パンツ式使い捨て紙おむつを例に採り本発明を説明したが、テープ式使い捨ておむつに対しても同様に適用することができる。また、上記形態例では、吸収性本体１０と外装シート２０とを最終工程で組み立てるタイプの紙おむつ構造としたが、本発明は透液性の表面シートと不透液性のバックシートとの間に吸収体が介在された紙おむつ一般に対して適用が可能である。
【図面の簡単な説明】
【００５６】
【図１】本発明に係る使い捨て紙おむつ１の製品状態外観図である。
【図２】その展開図である。
【図３】使い捨て紙おむつ１の分解図である。
【図４】外装シート２０の展開図である。
【図５】インジケータ１５及び透明化剤１８の第１の配設形態例を示す図２のV−V線矢視図である。
【図６】インジケータ１５及び透明化剤１８の第２の配設形態例を示す図２のV−V線矢視図である。
【図７】インジケータ１５及び透明化剤１８の第３の配設形態例を示す図２のV−V線矢視図である。
【図８】インジケータ１５及び透明化剤１８の第４の配設形態例を示す図２のV−V線矢視図である。
【図９】(A)〜(B)は、インジケータ１５及び透明化剤１８の配設形態例を示す平面図である。
【符号の説明】
【００５７】
１…使い捨て紙おむつ、１０…吸収性本体、１１…透液性表面シート、１２…防漏シート、１３…吸収体、１４…クレープ紙、１５…インジケータ、１６…ギャザー不織布、１７…糸状弾性伸縮部材、１８…透明化剤、１９…便ポケット、２０…外装シート、２０Ａ…上層不織布、２０Ｂ…下層不織布、２１、２２…脇部接合縁、２３…ウエスト開口部回り、２４…ウエスト部弾性伸縮部材、２５…腰回り弾性伸縮部材、２９…脚回りカットライン、Ｆ…前身頃、Ｂ…後身頃
【図１】
2008054991.tif 000003
【図２】
2008054991.tif 000004
【図３】
2008054991.tif 000005
【図４】
2008054991.tif 000006
【図５】
2008054991.tif 000007
【図６】
2008054991.tif 000008
【図７】
2008054991.tif 000009
【図８】
2008054991.tif 000010
【図９】
2008054991.tif 000011